(57)【要約】【課題】  電気的な接続部を増やすことなく、単純な筐体構造のシールドボックスを用いて、確実に高周波信号を発する制御系を電気的にシールドすることができ、かつ電気的な接続状態の信頼性の低下を防止する。【解決手段】  高周波信号を発生する制御基板１２と、メイン電源管理部１６や電力消費負荷１４との接続のために物理的に太い電源線が接続され、負荷への電力供給を制御するドライブ基板１８とを物理的に分離し、制御基板１２のみをシールドボックス３４に収容した。この場合、制御信号を伝搬する信号線は低電力でよいため、ドライブ基板１８との接続のための信号線として、薄肉のフラットケーブル２０を適用することができる。このため、シールドボックス３４には、フラットケーブル２０が挿通可能なスリット形状の開口部４０のみを設ければよくなり、シールド性を向上することができ、開口部４０に導電性の弾性部材４２を設けたため、隙間を遮蔽することができる。【選択図】  図２
2006032733.tif 000002
【特許請求の範囲】
【請求項１】
入力される制御信号に基づいて駆動し、電力供給線を介して接続された電力消費負荷に対して電力を供給することで、当該電力消費負荷を動作させるドライブ基板と、
前記ドライブ基板へ送出するための前記制御信号を生成する制御基板と、
前記制御基板の制御信号出力端と、前記ドライブ基板の制御信号入力端との間を電気的に接続し、前記制御信号を伝送するフラットケーブルと、
前記フラットケーブルの断面領域と同等の開口部を備え、この開口部にフラットケーブルを配設した状態で、前記制御基板を被覆することで、当該制御基板を電気的にシールドするシールドボックスと、
を有する基板構造。
【請求項２】
前記フラットケーブルが、前記シールドボックスの外面に密着するように配線され、かつ、前記ドライブ基板が前記シールドボックスの外面に固定されていることを特徴とする請求項１記載の基板構造。
【請求項３】
複数の前記フラットケーブルが厚み方向に密着重畳された状態で前記開口部に配設されていることを特徴とする請求項１記載の基板構造。
【請求項４】
前記開口部に導電性の弾性部材を設け、前記開口部とフラットケーブルとの隙間を電気的に遮蔽することを特徴とする請求項１記載の基板構造。
【請求項５】
前記シールドボックスが、少なくとも１面が開口され、前記制御基板を収容する箱体と、前記箱体の開口面に対向する当て板を備え、前記箱体の開口を塞ぐときに、前記当て板によって開口部から突出するフラットケーブルを略直角に屈曲させた状態で挟持する蓋体と、で構成されていることを特徴とする請求項１記載の基板構造。
【請求項６】
前記請求項１乃至請求項５の何れか１項記載の基板構造が、
像担持体を一様帯電し、前記像担持体に画像データに対応して光ビームを照射して静電潜像を形成すると共に、前記静電潜像に静電気力でトナーを付着させて現像し、当該トナー像を記録媒体に転写し、加熱定着することで画像を形成する画像形成エンジンを備えた画像形成装置の制御系に適用されることを特徴とする基板構造。
【発明の詳細な説明】
【技術分野】
【０００１】
この発明は、制御信号に基づいて駆動し、電力消費負荷に対して電力を供給することで、当該電力消費負荷の動作を制御する基板構造に関するものである。
【背景技術】
【０００２】
従来、モータ、ソレノイド、ランプ等の電力消費負荷は、ドライブ制御基板から電力を供給され、その動作（点灯）が制御される。
【０００３】
ドライブ制御基板は、電源ユニットからの電源線（電力供給線の一部）が接続されるドライブ部と、ＣＰＵ、ＲＡＭ、ＲＯＭ等で構成されたコントロール部と、で構成されている。
【０００４】
コントロール部では、制御信号が生成され、当該制御信号に基づいてドライブ部が駆動する（電源線と電力供給線との断／続）ことで、電力消費負荷が動作（点灯）するようになっている。
【０００５】
ここで、コントロール部は、高周波信号（高速処理であればあるほど高周波となる）が発生しており、この高周波信号がノイズとなって周囲のデバイス及び周辺機器に悪影響を及ぼすことがある。
【０００６】
このため、ドライブ制御基板は、シールドボックスに収容され、電気的に外部と遮蔽することがなされている。
【０００７】
ところが、前記ドライブ部に接続される電源線や電力供給線（ケーブル）は、消費電力が大きければ大きいほど、抵抗が増え、抵抗増大による発熱防止のため、ケーブルの導電断面が広くする必要があり（ケーブル外径を太くする必要があり）、その分、この太いケーブルをシールドボックス内外に配線するための開口部の面積が大きくなり、電気的シールド性を低下させている。
【０００８】
これを防止するため、シールドボックスに中継コネクタを取り付け、シールドボックス内において、ドライブ制御基板から中堅コネクタまでの配線ケーブルと、中継コネクタから電力消費負荷までの配線ケーブルとを別部材とするＫとおで、シールドボックス内の密閉性（電気的）を向上することが提案されている（特許文献１参照）。
【０００９】
これによれば、ケーブルをシールドボックスの内外に配線する場合、ケーブルの太さに依存するような開口部が不要となり、電気的シールド性を確保することができる。
【特許文献１】特開２０００−１６３１５９公報
【発明の開示】
【発明が解決しようとする課題】
【００１０】
しかしながら、特許文献１等の従来技術では、ケーブルの中間（シールドボックスの内外の境界部分）に中継コネクタが必須となる。
【００１１】
この結果、シールドボックスが単純な筐体ではなくなり、部品点数が多く、構造が複雑となるという欠点がある。また、中継コネクタを介在することで、接続部が増え、接触不良等の信頼性が低下する。
【００１２】
本発明は上記事実を考慮し、電気的な接続部を増やすことなく、単純な筐体構造のシールドボックスを用いて、確実に高周波信号を発する制御系を電気的にシールドすることができ、かつ電気的な接続状態の信頼性の低下を防止することができる基板構造を得ることが目的である。
【課題を解決するための手段】
【００１３】
本発明は、入力される制御信号に基づいて駆動し、電力供給線を介して接続された電力消費負荷に対して電力を供給することで、当該電力消費負荷を動作させるドライブ基板と、前記ドライブ基板へ送出するための前記制御信号を生成する制御基板と、前記制御基板の制御信号出力端と、前記ドライブ基板の制御信号入力端との間を電気的に接続し、前記制御信号を伝送するフラットケーブルと、前記フラットケーブルの断面領域と同等の開口部を備え、この開口部にフラットケーブルを配設した状態で、前記制御基板を被覆することで、当該制御基板を電気的にシールドするシールドボックスと、を有している。
【００１４】
本発明によれば、制御基板とドライブ基板とを物理的に分離し、この間をフラットケーブルで電気的に接続した。ここで、高周波ノイズの発生源は、制御基板であるため、この制御基板のみをシールドボックスによって被覆して、電気的にシールドする。
【００１５】
このとき、シールドボックスの内外に亘り配設されるフラットケーブルは、厚み方向が通常のケーブルよりも薄いのが特徴であり、また、制御基板からドライブ基板への制御信号は、低電流（低電圧）であるため、発熱等を考慮する必要がない。
【００１６】
これにより、シールドボックス内外にフラットケーブルを配設するための開口部の開口面積を小さくすることができ、単純な構造（例えば、シールドボックスとしては制御基板が収容可能な容積がある筐体でよい）で、電気的なシールド性を向上することができる。
【００１７】
本発明では、前記フラットケーブルが、前記シールドボックスの外面に密着するように配線され、かつ、前記ドライブ基板が前記シールドボックスの外面に固定されていることを特徴としている。
【００１８】
シールドボックスの外に配設されるフラットケーブルをさらに、シールドボックスの外面に密着するように配線することで、密着面のシールド性を向上することができる。すなわち、フラットケーブルをグランドレベル（シールドボックスの電位と同等のレベル）とすることで、フラットケーブルから発せられるノイズを低減することができる。
【００１９】
また、本発明では、複数の前記フラットケーブルが厚み方向に密着重畳された状態で前記開口部に配設されていることを特徴としている。
【００２０】
制御基板からドライブ基板へ多数の信号線が必要な場合、複数のフラットケーブルを併設する必要がある。このとき、複数のフラットケーブルを厚み方向に密着重畳させて開口部に配設することで、開口部に設ける際に必須の公差（フラットケーブルを通過させるための周囲の余裕であり、フラットケーブルの外形よりも若干大きめとしたときの隙間の開口面積）を小さくすることができる。
【００２１】
さらに、本発明では、前記開口部に導電性の弾性部材を設け、前記開口部とフラットケーブルとの隙間を電気的に遮蔽することを特徴としている。
【００２２】
開口部とフラットケーブルとの間は、すくなからず隙間が生じる場合がある。そこで、この隙間に対して、導電性の弾性部材を設けることで、隙間形状に倣って弾性部材が変形し、この開口部とフラットケーブルとの間の隙間の電気的な遮蔽状態を維持することができる。なお、弾性部材であるため、フラットケーブルが可撓しても、これに追従して弾性変形し、遮蔽状態は常に維持される。
【００２３】
また、本発明では、前記シールドボックスが、少なくとも１面が開口され、前記制御基板を収容する箱体と、前記箱体の開口面に対向する当て板を備え、前記箱体の開口を塞ぐときに、前記当て板によって開口部から突出するフラットケーブルを略直角に屈曲させた状態で挟持する蓋体と、で構成されていることを特徴としている。
【００２４】
シールドボックスを２部材構成（箱体と、蓋体）とする。
【００２５】
例えば、箱体に開口部を設け、この開口部にフラットケーブルを通過させ、蓋体を被せると、蓋体の当て板（開口部と対向する舌片）がフラットケーブルを略直角に屈曲させ、かつ押さえ込む（挟持する）ことになり、電気的な遮蔽状態をさらに向上することができる。
【００２６】
さらに、本発明では、前記請求項１乃至請求項５の何れか１項記載の基板構造が、像担持体を一様帯電し、前記像担持体に画像データに対応して光ビームを照射して静電潜像を形成すると共に、前記静電潜像に静電気力でトナーを付着させて現像し、当該トナー像を記録媒体に転写し、加熱定着することで画像を形成する画像形成エンジンを備えた画像形成装置の制御系に適用されることを特徴としている。
【００２７】
画像形成装置の画像形成エンジンには、所定のシーケンスで駆動する複数の電力消費負荷が存在する。この電力消費負荷には、高電圧が必要なもの、大電流が必要なもの、発熱源として利用されるもの（高負荷）等があり、このような電力消費負荷と、画像データとを制御系によって共通管理制御すると、画像データに基づく光ビームの変調のための高周波信号がノイズとなって、電力消費負荷等を制御するための信号が乱れ、誤動作することがある。
【００２８】
特に制御基板とドライブ基板を分離し、かつ制御基板のみをシールドボックスで電気的にシールドする本発明を適用することで、物理的に集中管理されている制御系内でのノイズに起因する誤動作を防止することができる。
【発明の効果】
【００２９】
以上説明した如く本発明によれば、電気的な接続部を増やすことなく、単純な筐体構造のシールドボックスを用いて、確実に高周波信号を発する制御系を電気的にシールドすることができ、かつ電気的な接続状態の信頼性の低下を防止することができるという優れた効果を有する。
【発明を実施するための最良の形態】
【００３０】
図１には、本実施の形態に係る機械的動作を伴う機器の動作を制御するための回路基板１０が示されている。
【００３１】
回路基板１０は、制御信号を生成する制御基板１２と、制御信号に基づいて機器に装備された電力消費負荷１４に対して、メイン電源管理部１６からの電力の供給を制御するドライブ基板１８とで構成され、これらは、互いにフラットケーブル２０によって電気的に接続されている。
【００３２】
制御基板１２には、ＣＰＵ２２、ＡＳＩＣ（application specific integrated circuits／特定用途向け集積回路）２４等が装着されており、高周波信号（高速信号）を処理することで、制御信号が生成されるようになっている。
【００３３】
また、制御基板１２には、フラットケーブル２０の一端部を機械的、かつ電気的に接続するコネクタ２６が取り付けられている。フラットケーブル２０は、幅方向に複数本の信号線がアレイ状に配列され、肉厚寸法が極めて薄く、かつ幅広形状となっている。
【００３４】
これに対してコネクタ２６は、フラットケーブル２０の幅方向寸法に対応する挿入部が設けられている。フラットケーブル２０が挿入部に挿入され、コネクタ２６の図示しないラッチ機構により挟持かつ保持することで、前記複数本の信号線を、それぞれ対応する制御基板１２のプリント配線に電気的に接続することができる。
【００３５】
このフラットケーブル２０の他端は、ドライブ基板１８に取り付けられたコネクタ２８に接続されている。このドライブ基板１８のコネクタ２８とフラットケーブル２０との接続は、上記制御基板１２とフラットケーブル２０との接続と同様の構成であるため、説明は省略する。
【００３６】
ドライブ基板１２には、ドライブ用ＩＣ３０等が装着されており、制御基板１２から入力される制御信号に基づいて、メイン電源管理部１６から供給される電源を、電力消費負荷１４へ供給する、ドライブ回路３２を制御するようになっている。
【００３７】
ここで、本実施の形態の制御基板１２には、金属製のシールドボックス３４に収容されている。
【００３８】
図２及び図３に示される如く、シールドボックス３４は、上面が開口された箱体３６と、当該開口を閉塞する蓋部３８とで構成され、蓋部３８は、箱部３６に対して、図示しないねじ締めによって固定されている。
【００３９】
箱体３６の側面には、矩形スリット状の開口部４０が設けられている。この開口部４０の縦寸法（以下、スリット幅寸法という）は、前記フラットケーブル２０の肉厚寸法に対して若干大きめの寸法となっており、スリット幅に対して直交する横寸法（以下、長さ寸法という）は、フラットケーブル２０の幅寸法よりも若干大きめの寸法となっている。
【００４０】
この開口部４０には、フラットケーブル２０が挿通されている。ここで、このフラットケーブル２０を開口部４０に通すとき、開口部４０のスリット幅寸法及び長さ寸法と、フラットケーブル２０の肉厚寸法と幅寸法との差によって、フラットケーブル２０を、ほとんど抵抗感なく通過させることができる。
【００４１】
また、この開口部４０には、導電性の弾性部材（例えば、スポンジ（製品名：シールドソフトパッキング／製造元：竹内工業社製：商標）４２が設けられている。この弾性部材４２には、その中央に線状の切り込み（シールドボックス３４の内外を貫通する切り込み）４２Ａ（図３参照）が形成されており、フラットケーブル２０は、この切り込み４２Ａを通過するようになっている。このため、実質的にフラットケーブル２０と開口部４０との寸法差による隙間は、弾性部材４２によって閉塞されることになる。
【００４２】
前記シールドボックス３４の開口部４０から外部へ突出されたフラットケーブル２０は、開口部４０の突出直後に略直角に上方に屈曲され、さらに、蓋体３８の上面と同一平面となる位置で、さらに同一方向（すなわち、蓋体３８の上面方向）に略直角に屈曲されている。
【００４３】
このため、フラットケーブル２０の突出先端は、蓋体３８の上面位置となっており、ドライブ基板１８は、シールドボックス３４の蓋体３８の上面に取り付けられている。
【００４４】
フラットケーブル２０を、シールドボックス３４の外面に沿わせることで、フラットケーブル２０自体が、グランドレベルとなり、制御基板１２で生成され、フラットケーブル２０を介してドライブ基板１８へと伝搬される制御信号（高周波信号）にノイズがのることが低減されるようになっている。
【００４５】
以下に本実施の形態の作用を説明する。
【００４６】
回路基板１０を構成する場合に、制御信号を生成する制御基板１２と、当該制御信号に基づいて電力消費負荷１４に対して電力供給を制御するドライブ基板１８とを、物理的に別体とされた基板構成とする。
【００４７】
この分離された制御の内、制御基板１２をシールドボックス３４の箱体３６に収容し、固定する。
【００４８】
次に、シールドボックス３４の箱体３６に設けられた開口部４０にフラットケーブル２０を通す。このとき、フラットケーブル２０の外形（肉厚寸法、幅寸法）に対して開口部４０の縦横寸法（スリット幅寸法、長さ寸法）が若干大きめであるため、フラットケーブル２０は抵抗感なく挿入される。
【００４９】
また、この開口部４０には、導電性の弾性部材４２が設けられ、フラットケーブル２０は、この弾性部材４２の切り込み４２Ａを通過するため、前記抵抗感をなくすために設けた開口部４０との隙間は、導電性の弾性部材４２によって閉塞され、この開口部４０の電気的シールド性を保持することができる。
【００５０】
シールドボックス３４の箱体３６の内部のフラットケーブル３０の一端は、制御基板１２に取り付けられたコネクタ２６の挿入部に挿入され、ラッチ機構によって機械的に固定される。このとき、電気的にもフラットケーブル２０のアレイ状の各信号線は、制御基板１２のプリント配線に、互いにショートすることなく接続される。
【００５１】
次に、制御基板１２を収容した箱体３４の開口面を、蓋体３６によって閉塞し、ねじ締めで固定する。これにより、制御基板１２は、シールドボックス３４によって、完全に電気的シールドが施されることになる。
【００５２】
また、開口部４０においても、弾性部材４２によって、開口部４０の内周と、フラットケーブル２０の外周との隙間を埋めているため、高周波信号に起因するノイズが漏れることがない。
【００５３】
一方、開口部４０から外部に突出されたフラットケーブル２０は、上方に略直角に屈曲され、さらに、蓋体３８の上面方向に略直角に屈曲され、他端部が蓋体３８の上部に位置する。
【００５４】
このように、フラットケーブル２０をシールドボックス３４の外面に沿わせることで、フラットケーブル２０をグランドレベルとすることができ、ノイズの発生を軽減することができる。
【００５５】
フラットケーブル２０の他端は、ドライブ基板１８に取り付けられたコネクタ２８の挿入部に挿入され、上記（制御基板１２とフラットケーブル２０との接続構成）と同様の構成で、機械的、かつ電気的に接続される。
【００５６】
すなわち、シールドボックス３４の上部にドライブ基板１８が支持された状態で固定され、一体化される。
【００５７】
ドライブ基板１８には、メイン電源管理部１６と、電力消費負荷１４とを接続する。
【００５８】
以上により、回路基板１０の組み付け、並びに配線が終了し、機器内の所定の位置に固定する。
【００５９】
このように、高周波信号、すなわち制御信号を生成する制御基板１２をドライブ基板１８から分離して、制御基板１２のみをシールドボックス３４によって閉塞し、電気的にシールドするようにしたため、制御基板１２からドライブ基板１８への配線は、低電力（数ミリボルト）の信号を伝搬できればよい薄肉のフラットケーブル２０を適用することができ、シールドボックス３４の開口部４０の開口面積を小さくすることができる。
【００６０】
また、開口部４０へのフラットケーブル２０の通過性を向上するために、若干の隙間を設けることが好ましいが、この隙間を設けることで、シールド性が低下する。そこでで、隙間に導電性の弾性部材４２を設け、フラットケーブル２０を弾性部材４２の切り込み４２Ａを通過させることで、開口部４０の内周と、フラットケーブル２０の外周との隙間を完全に閉塞することができ、電気的シールド性の低下を抑制することができる。
【００６１】
さらに、シールドボックス３４の開口部４０から突出したフラットケーブル２０を、シールドボックス３４の外面に沿わせるようにしたため、フラットケーブル２０をグランドレベルとすることができ、フラットケーブル２０による制御信号の伝搬時にノイズが発生することを抑制することができる。
【００６２】
なお、本実施の形態では、開口部４０の周囲は、弾性部材４２を設けるのみとしたが、図３に示される如く、蓋体３８の周囲に、蓋体３８を箱体３６に被せるときに、箱体の開口周縁と重なるリブ３８Ａを設け、このリブ３８Ａの一部から、前記開口部４０に対向する当て板３８Ｂを一体に形成し、蓋体３８を箱体３６に被せたときに、この当て板３８Ｂと箱体３６との間で、フラットケーブル２０を挟持する構成とすれば、さらに、開口部４０の周辺の電気てきシールド性を高めることができる。
【００６３】
また、本実施の形態の回路基板１０では、単一のフラットケーブル２０を対象として説明したが、制御信号が多くなれば、フラットケーブル２０が複数本必要となる場合がある。この場合、それぞれに開口部４０を別々に設けると、それぞれの開口部４０に隙間が生じることになる。また、この隙間を閉塞するための弾性部材４２がそれぞれ必要となる。
【００６４】
そこで、図４に示される如く、複数本のフラットケーブル２０を配線する場合には、フラットケーブル２０同士を肉厚方向に重ねた状態で単一の開口部４０を通して配線する。これにより、開口部４０とフラットケーブル２０との間の隙間を、１本のフラットケーブル２０に対する隙間と同等とすることができ、フラットケーブル２０の本数が増えても、隙間の累積面積が増加することがなく、シールド性を安定させることができる。また、隙間に設ける弾性部材４２も同量、かつ単一でよいため、部品点数の増加等の不具合を解消することができる。
【００６５】
以上説明したように本実施の形態では、高周波信号を発生する制御基板１２と、メイン電源管理部１６や電力消費負荷１４との接続のために物理的に太い電源線（電力供給線２０２）が接続され、前記制御基板１２によって生成された制御信号に基づいて、負荷への電力供給を制御するドライブ基板１８とを物理的に分離し、制御基板１２のみをシールドボックス３４に収容した。この場合、制御信号を伝搬する信号線は低電力（数ミリボルト）でよいため、ドライブ基板１８との接続のための信号線として、薄肉のフラットケーブル２０を適用することができる。このため、シールドボックス３４には、フラットケーブル２０が挿通可能なスリット形状の開口部４０のみを設ければよくなり、シールド性を向上することができる。また、この開口部４０に導電性の弾性部材４２を設けたため、フラットケーブル２０と開口部４０との隙間を遮蔽することができる。
【実施例】
【００６６】
以下に本実施の形態の回路基板１０の構成が適用された機器として画像形成装置１１０を例にとり、その概略構成を説明する。
【００６７】
図５には、本発明の回路基板構造が適用された画像形成装置１１０の実施例が示されており、画像形成装置１１０は、この装置本体１１２の内部に、画像形成エンジンとしてのエンジン部１１４が配設されている。
【００６８】
エンジン部１１４には、像担持体としての感光体ドラム１１６が回転可能に配設されている。この感光体ドラム１１６は、所定のプロセススピードで回転駆動される。
【００６９】
上記感光体ドラム１１６の周面には、帯電器１１８によって所定の電位に帯電された後、これ又感光体ドラム１１６の直上の離れた位置に配置された光走査系としてのＲＯＳ（Raster Output Scanner）１２０によって、レーザービーム（LB）による画像露光が施され、画像情報に応じた静電潜像が形成される。上記感光体ドラム１１６上に形成された静電潜像は、現像器１２２によって現像され、トナー像となる。
【００７０】
上記トナー像が形成されるにあたって感光体ドラム１１６が回転する回数は、画像のサイズに応じて異なるが、例えば、Ａ４サイズであれば、感光体ドラム１１６が３回転することによって、１画像が形成される。
【００７１】
上記感光体ドラム１１６上に順次形成されたトナー像は、転写位置（図１のＡ線矢視）を通過する際に、記録用紙１２６上に転写される。
【００７２】
記録用紙１２６は、図１に示すように、装置本体１１２の下部に配置された給紙部１２８から、１枚ずつ捌かれた状態で給紙され、ベルト１２４に搬送されながら、前記転写位置へと搬送され、当該転写位置で画像が転写される。
【００７３】
なお、感光体ドラム１１６は、トナー像の転写後、クリーニング部１３０によってクリーニングされ、次の画像形成のため帯電ロール１１８で帯電される。
【００７４】
上記トナー像が転写された記録用紙１２６は、定着器１３２へと搬送され、この定着器１３２によって加熱及び圧力でトナー像が記録用紙１２４上に定着され、排出ロール１３４によって排出される。
【００７５】
図６には、画像形成装置１１０における画像形成を主体とした制御系のブロック図、並びに電源供給配線図が示されている。
【００７６】
メイン電源管理部２００には、商用電源２０１が接続されており、低電圧電源及び高電圧電源を生成し、負荷電源供給ライン２０２、ドライブ基板１８を介して電力消費負荷（以下、単に負荷という）２０４へ電力を供給する。
【００７７】
負荷２０４には、ＤＣサーボモータ、ステッピングモータ、クラッチ、ソレノイド、ＨＶＰＳ電源、レーザー電源、定着器ランプ等が存在する。
【００７８】
ＤＣサーボモータは、感光体ドラム１１６の駆動用モータ、現像部１２２のトナー撹拌に用いられるモータ、定着器１３２のローラ駆動用モータ、装置本体１１２やエンジン部１１４の各部に設けられた放熱ファン（図示省略）を駆動するためのモータ等として適用される。
【００７９】
また、ステッピングモータは、駆動系のフィード（搬送）用モータ、ＲＯＳ（光走査系）の位置調整（レジ）用モータ等として適用される。
【００８０】
図６に示される如く、メイン電源管理部２００で生成された５Ｖ電源は、制御電源供給ライン２０６により、メインコントローラ２０８を含む制御基板１２へ供給されている。
【００８１】
このメインコントローラ２０８は、図示しない外部ホストコンピュータとのネットワークラインが接続されており、画像データが入力されるようになっている。
【００８２】
画像データが入力されると、メインコントローラ２０８では、例えば、画像データに含まれるプリント指示情報と、イメージデータとを解析し、エンジン部１１４に適合する形式（例えば、ビットマップデータ）に変換し、画像形成処理制御部２１４へ画像データを送出する。
【００８３】
画像形成処理制御部２１４では、入力されたイメージデータに基づいて、光走査系コントロール部２１６、駆動系コントロール部２１８、帯電器コントロール部２２０、現像器コントロール部２２２、定着器コントロール部２２４のそれぞれを同期制御し、画像形成を実行する。
【００８４】
上記制御基板１２とドライブ基板１８とは、コネクタ２６、２８を介してフラットケーブル２０によって電気的に接続されている。
【００８５】
（通常動作）
本実施の形態に係る画像形成装置１１０では、次のようにして、画像形成動作が行われる。
【００８６】
上記画像形成装置１１０では、プリント動作時に、感光体ドラム１１６が所定の速度で回転駆動される。
【００８７】
その後、上記感光体ドラム１１６の表面は、帯電器１１８によって所定の電位に帯電された後、ＲＯＳ１２０によって画像データに対応した画像露光が施され、静電潜像が形成される。この感光体ドラム１１６上に形成された静電潜像は、現像器１２２によって現像され、感光体ドラム１１６の表面には、トナー像が形成される。
【００８８】
感光体ドラム１１６の表面に形成されたトナー像は、転写位置において、搬送されてきた記録用紙１２６に転写され、定着器１３２を通過することで定着されて排出される。
【００８９】
上記構成の画像形成装置１１０の制御系において、メインコトローラ２０８と画像形成処理制御部２０６とを図１の制御基板１２側、光走査系コントロール部２１６、駆動系コントロール部２１８、帯電器コントロール部２２０、現像器コントロール部２２２、定着器コントロール部２２４を図１のドライブ基板１８側として設定し、制御基板１２をシールドボックス３４によって被覆すると共に、これらをフラットケーブル２０で接続することで、制御基板１２側のメインコントローラ等から発生するノイズを外部に漏らすことを防止することができる。
【図面の簡単な説明】
【００９０】
【図１】本実施の形態に係る回路基板の概略構成図である。
【図２】本実施の形態に係る回路基板の外観を示す斜視図である。
【図３】図２のＩＩＩ−ＩＩＩ線断面図である。
【図４】変形例（当て板による開口部遮蔽構造）に係るシールドボックスの開口部近傍の断面図である。
【図５】変形例（フラットケーブル重畳構造）に係るシールドボックスの開口部近傍の正面図である。
【図６】本実施の形態の回路基板構造が適用された機器の一例としての画像形成装置の概略構成図である。
【図７】図６の画像形成装置における画像形成を主体とした制御系のブロック図、並びに電源供給配線図である。
【符号の説明】
【００９１】
１０    回路基板
１２    制御基板
１４    電力消費負荷
１６    メイン電源管理部
１８    ドライブ基板
２０    フラットケーブル
２２    ＣＰＵ
２４    ＡＳＩＣ
２６    コネクタ
２８    コネクタ
３０    ドライブ用ＩＣ
３２    ドライブ回路
３４    シールドボックス
３６    箱体
３８    蓋部
３８Ａ    リブ
３８Ｂ    当て板
４０    開口部
４２    弾性部材
４２Ａ    切り込み
１１０    画像形成装置
１１４    エンジン部
１１６    感光体ドラム
１１８    帯電器
１２０    ＲＯＳ
１２２    現像器２２
１２６    記録用紙
１２８    給紙部
１３０    クリーニング部
１３２    定着器
【図１】
2006032733.tif 000003
【図２】
2006032733.tif 000004
【図３】
2006032733.tif 000005
【図４】
2006032733.tif 000006
【図５】
2006032733.tif 000007
【図６】
2006032733.tif 000008
【図７】
2006032733.tif 000009